(57)【要約】      （修正有）【課題】少ないパーツで浴槽への組み立てセットを自在に簡単にし、しかも他のパーツとの合わせセットを可能にして、健常者は勿論、子供や要介護者などの入浴者が、浴槽内で容易に負担のない体勢と高さで安全に腰掛けて、半身浴、身体の洗浄や洗髪、更にはシャワー洗身などを可能にして、更には読書なども可能にするなど、心行くまで入浴を楽しむことを実現した浴槽用組立腰掛を提供する。【解決手段】浴槽１の両縁１Ａ、１Ｂ各々に着脱自在に掛けるフック部１０１−１、１０１−２と同フック部に接続し浴槽内壁面に沿って垂下させる垂下アーム部１０２−１、１０２−２とからなる一対の吊り具１０３−１、１０３−２を備え、前記一対の吊り具に両側部を着脱可能にした座面１０４−１、１０４−２と背凭れ１０７を備え、前記座面は、高さ位置変更可能に設け、前記座面及び背凭れは浴槽の幅方向に拡縮可能にした。【選択図】図１
0003208440.tif 000002
【実用新案登録請求の範囲】
【請求項１】
浴槽（１）の両縁（１Ａ、１Ｂ）各々に着脱自在に掛けるフック部（１０１−１、１０１−２）と同フック部に接続し浴槽内壁面に沿って垂下させる垂下アーム部（１０２−１、１０２−２）とからなる一対の吊り具（１０３−１，１０３−２）を備え、前記一対の吊り具に両側部を着脱可能にした座面（１０４−１、１０４−２）と背凭れ（１０７）を備えたことを特徴とする浴槽用組立腰掛。
【請求項２】
前記前記座面（１０４−１、１０４−２）は、高さ位置変更可能に設け、前記座面（１０４−１、１０４−２）及び背凭れ（１０７）は浴槽の幅方向に拡縮可能にしたことを特徴とする請求項１に記載の浴槽用組立腰掛。
【考案の詳細な説明】
【技術分野】
【０００１】  本考案は、健常者は勿論、子供や要介護者などの入浴者が、浴槽内で容易に負担のない体勢腰掛けて半身浴、身体の洗浄や洗髪、更にはシャワー洗身などを、安全かつ簡単に可能にした、セット自在で好適な浴槽用組立腰掛に関するものである。
【背景技術】
【０００２】  従来の浴槽用腰掛は、特許文献１〜特許文献４に紹介のように、ほとんどが、身体の不自由な高齢者用、或いは幼児や病人等の入浴に使用される介助浴槽用に開発されており、バスと一体構造にしたり、後付けでも、複雑構造で、操作が煩雑で、高額となる機構になっており、一般家庭的なものでなく、しかも、健常者は勿論、子供にでも簡易に適用できる実用的なものではない。【０００３】特許文献１には、図５に示すように「浴槽１内に背凭れ板部２１と腰掛け板部２２とからなる入浴椅子２が設けられた介助浴槽において、入浴椅子２の背凭れ板部２１の背面は浴槽１の一側壁１１の内面に添接され、背凭れ板部２１の上端部付近が浴槽１の一側壁の上縁部付近において軸着され揺動自在とされている入浴椅子２。」が紹介されている。【０００４】  特許文献２には、図６に示すように「尻の接触部分に復数の永久磁石リングＡを埋め、脚部に滑りどめ吸着リング２を設け、さらに浴槽内、で浮き上らない腰掛け兼踏台Ｂ」が紹介されている。【０００５】特許文献３には、図７に示すように「各パーツの組み立て式を採用し、バス固定用締め付け器具（９）を設けた背もたれ兼用バス取り付け部（２）に左右対の肘掛部（３）および腰掛台（１）を取り付け、肘掛部（３）にテーブル（４）を設け、テーブル（４）と腰掛台（１）に乳幼児の両足を分け滑り抜け防止を兼ねた支柱（５）を設ける。そして、用途に応じてテーブル（４）を取り外し、乳幼児保持用斜面（１４）を要するバスケット（１３）を設けた乳幼児用入浴シート」が紹介されている。【０００６】特許文献４には、図８に示すように「浴槽の両縁（５）を橋渡しするように椅子本体（１）を乗せる。椅子（１）が滑り落ちないようにストッパー（２）を設け、また浴槽の両縁との接触面に滑り止めの部材（３）を取りつける。幅の異なる様々な浴槽に対応できるように、ストッパー（２）の取り付け位置を変えられるようにする。椅子本体（１）の端部にくぼみ（７）を設け、シャンプーやリンス等を置けるようにし、また身体の洗浄および洗髪を行なう際には、上記椅子本体（１）に腰掛けるユニットバス用椅子」が紹介されている。
【先行技術文献】
【特許文献】
【０００７】
【特許文献１】特開１９９４−２３３８０２号公報「介助浴槽」
【特許文献２】特開平８−１３１５６５号公報「永久磁石入り腰掛、踏台、及び浴槽」
【特許文献３】特開２００２−１１２８５８号公報「乳幼児用入浴シート」
【特許文献４】特開２００２−３３６１５３号公報「ユニットバス用椅子」
【考案の開示】
【考案が解決しようとする課題】
【０００８】  本考案は、少ないパーツで浴槽への組み立てセットを自在に簡単にし、しかも他のパーツとの合わせセットを可能にして、健常者は勿論、子供や要介護者などの入浴者が、浴槽内で容易に負担のない体勢と高さで安全に腰掛けて、半身浴、身体の洗浄や洗髪、更にはシャワー洗身などを可能にして、更には読書なども可能にするなど、心行くまで入浴を楽しむことを実現した浴槽用組立腰掛を提供する。
【課題を解決するための手段】
【０００９】  本考案は上記目的を達成するためになされたものでありその機構的特徴とするところは次の（１）〜（２）の通りである。【００１０】（１）、浴槽（１）の両縁（１Ａ、１Ｂ）各々に着脱自在に掛けるフック部（１０１−１、１０１−２）と同フック部に接続し浴槽内壁面に沿って垂下させる垂下アーム部（１０２−１、１０２−２）とからなる一対の吊り具（１０３−１，１０３−２）を備え、前記一対の吊り具に両側部を着脱可能にした座面（１０４−１、１０４−２）と背凭れ（１０７）を備えたことを特徴とする浴槽用組立腰掛。
（２）、前記前記座面（１０４−１、１０４−２）は、高さ位置変更可能に設け、前記座面（１０４−１、１０４−２）及び背凭れ（１０７）は浴槽の幅方向に拡縮可能にしたことを特徴とする前記（１）に記載の浴槽用組立腰掛。
【考案の効果】
【００１１】  本考案の浴槽用組立腰掛は、前記特徴とする技術構成により、少ないパーツで浴槽への組み立てセットを自在に簡単にし、しかも他のパーツとの合わせセットを可能にして、健常者は勿論、子供や要介護者などの入浴者が、浴槽内で容易に負担のない体勢と高さで安全に腰掛けて、半身浴、身体の洗浄や洗髪、更にはシャワー洗身などを可能にして、更には読書なども可能にするなど、心行くまで入浴を楽しむことを実現した優れた作用効果を呈するものである。
【図面の簡単な説明】
【００１２】
【図１】実施例１の正面から見た斜視説明図である。
【図２】実施例１のモデル図を示す
【図３】図２の斜視説明図である。
【図４】実施例１のオプション器具で読書用の本立てモデルを示す斜視図である。
【図５】特許文献１の掲載図面
【図６】特許文献１の掲載図面
【図７】特許文献１の掲載図面
【図８】特許文献１の掲載図面
【考案を実施するための形態】
【００１３】  本考案の浴槽用組立腰掛の実施形態は、実施例１により詳細に説明する。
【実施例１】
【００１４】  本例の浴槽用組立腰掛は、図１〜図３に示すように、組立パーツとして樹脂製又は金属製のパイプで成形した吊り具１０３−１、１０３−２の一対と、座面１０４−１、１０４−２と背凭れ１０７を備える。尚、各パーツはパイプ以外に樹脂製又は金属製の板状、角柱、円柱材で構成してもよく、叉一体に成型したものでも良い。
一対の吊り具１０３−１、１０３−２は、浴槽１の両縁１Ａ、１Ｂの各々に着脱自在に掛けるフック部１０１−１、１０１−２と同フック部に接続し浴槽内壁面に沿って垂下させる垂下アーム部１０２−１，１０２−２とからなる。【００１５】  一方の吊り具１０３−１は、壁側の縁１Ａに掛けるタイプでありフック部１０１−１をＬ型にしてある。他方の吊り具１０３−２は、洗い場側に掛けるタイプであり、フック部１０１−２をΠ型にして浴槽１の縁１Ｂに上方から堅牢に嵌めるタイプにしてある。【００１６】  座面１０４−１、１０４−２は、両端を、前記両吊り具１０３−１、１０３−２の各垂下アーム部１０２−１，１０２−２に設けた高さ位置変更用の二段の載置アーム１０５−１、１０５−２の組、１０６−１、１０６−２の組の何れかの組の上に水平に着脱可能に載置する。【００１７】  座面１０４の高さ位置変更は、垂下アーム部１０２−１，１０２−２に、垂下長さを変えるネジ式調節手段、又は二重パイプスライド式調節手段等を付設しても可能である。
叉座面１０４−１、１０４−２は、浴槽１の内幅に応じて拡縮可能になっており、二組の座面１０４−１と１０４−２がスライドして座面幅を変更可能になっている。【００１８】  即ち、座面１０４−１と１０４−２のパイプは交互に配置していて、座面１０４−１のパイプの両端は、固定金物１０と１１で固定されており、座面１０４−２のパイプの両端は、固定金物１２と１３で固定されている。そして座面１０４−１の内側の固定金物１０は座面１０４−２のパイプを挿通自在に保持し、座面１０４−２の内側の固定金物１２は、座面１０４−１のパイプを挿通自在に保持しており、固定金物１０と１２の押し込み及び引っ張り操作で、座面幅を浴槽１の内幅に応じて、自在に調節することが出来る機構にしてある。【００１９】  背凭れ１０７は、パイプ製にしてその両端部を各垂下アーム部１０２−１，１０２−２の上部に設けた挿通具１０８−１、１０８−２により着脱可能に装着設置する。これで背凭れ１０５は、背凭れ幅を浴槽１の内幅に応じて、自在に調節することが出来る。【００２０】  図４にはオプションの汎用テーブル２００を示す。汎用テーブル２００は、両端部を図１に示す浴槽１の両縁１Ａ、１Ｂに載置し、本を置いて入浴中に読書をしたり、各種の浴用アイテムを置くなどして、入浴の利便性を高めるテーブルである。
この汎用テーブル２００、浴槽１の外幅に応じて拡縮可能である。つまり二本パイプ組のＵ型部材２０１と三本パイプ組のＥ型部材２０２を左右から平行に組み合わせ、固定・挿通金物２０３、２０４にて支持してあり、固定・挿通金物２０３はＵ型部材２０１のパイプを挿通可能に支持しＥ型部材２０２のフリー端部を固定接続してあり、固定・挿通金物２０４はＥ型部材２０２のパイプを挿通可能に支持しＵ型部材２０１のフリー端部を固定接続してある。これでＵ型部材２０１とＥ型部材２０２の端の押し込みと引っ張り操作で浴槽の幅に応じて、該テーブルの掛け渡し長さを自在に調節することが可能となり、利便性を益々高める。
【産業上の利用可能性】
【００２１】  本考案の浴槽用組立腰掛は、前述のように、優れた作用効果があり、一般家庭は勿論、介護福祉業界等に貢献すること多大なものがある。
【符号の説明】
【００２２】  １：浴槽
１Ａ、１Ｂ：浴槽の両縁
１０１−１：Ｌ型のフック部
１０１−２：Π型のフック部
１０２−１，１０２−２：垂下アーム部
１０３−１、１０３−２：吊り具
１０４−１、１０４−２：座面
１０５−１、１０５−２：載置アームの組
１０６−１、１０６−２：載置アームの組
１０、１１  １２、１３：固定金物
１０７：背凭れ
１０８−１、１０８−２：挿通具
２００：本立てのオプション治具
２０１：本立て
２０２：二本パイプ組のＵ型部材
２０３：三本パイプ組のＥ型部材
２０４、２０５：固定・挿通金物
【図１】
0003208440.tif 000003
【図２】
0003208440.tif 000004
【図３】
0003208440.tif 000005
【図４】
0003208440.tif 000006
【図５】
0003208440.tif 000007
【図６】
0003208440.tif 000008
【図７】
0003208440.tif 000009
【図８】
0003208440.tif 000010